(57)【要約】【課題】一対の楔片の過度の押し込みによる一対の楔片やアーム操作片の破損を防止することのできるコネクタ及びコネクタの接続構造を提供すること。【解決手段】コネクタハウジング相互の嵌合が完了したときに、コネクタハウジング上の一対の連結用係止部にコネクタハウジング５上の一対のロックアームが係合することでコネクタハウジング相互の嵌合状態がロックされ、コネクタハウジング５の楔挿通孔５４に挿入された一対の楔片６１，６２がロック解除位置に押し込まれることで、ロックアーム５２によるロック状態が解除されるコネクタにおいて、一対の楔片６１，６２は、ロック解除位置に押し込まれたときにロックアーム５２と一体のアーム操作片５３を押圧する部位として、ロック解除用テーパ面６４の終端から当該楔片の押し込み方向に沿って平行に延出した平坦面６７を備える。【選択図】図４
2016103340.tif 000002
【特許請求の範囲】
【請求項１】
相手方コネクタハウジングに嵌合するコネクタハウジングと、
前記コネクタハウジングに一体形成されて前記相手方コネクタハウジングの一対の連結用係止部に係合して、コネクタハウジング相互の嵌合状態をロックする一対のロックアームと、
前記ロックアームから延出し、ハウジング内方に押下すると前記ロックアームを係合解除方向に撓ませるアーム操作片と、
前記コネクタハウジングにおける待機位置からロック解除位置に移動可能に前記コネクタハウジングに形成された楔挿通孔に組み付けられて、前記ロック解除位置に押下されることで、前記ロックアームによるコネクタハウジング相互の嵌合状態のロックを解除する一対の楔片と、
前記一対の楔片の先端側内面に装備されて前記一対の楔片が前記待機位置から前記ロック解除位置に押し込まれたときに、前記アーム操作片をハウジング内方に押下することで、前記ロックアームによるロック状態を解除するロック解除用テーパ面と、
を備えるコネクタであって、
前記一対の楔片は、前記ロック解除位置に押し込まれたときに前記アーム操作片を押圧する部位として、前記ロック解除用テーパ面の終端から当該楔片の押し込み方向に沿って平行に延出した平坦面を備えたことを特徴とするコネクタ。
【請求項２】
前記楔片の先端外面からの前記平坦面の高さが、前記楔片の高さよりも低いことを特徴とする請求項１に記載のコネクタ。
【請求項３】
前記コネクタハウジングには、前記アーム操作片から前記楔片に作用する反力によって前記楔片がハウジング外方に逃げることを規制する保護壁が備えられ、
前記楔片の外面には、前記保護壁と接触する面積を先端側外面のみに制限する逃げが形成されていることを特徴とする請求項１又は２に記載のコネクタ。
【請求項４】
相手方コネクタハウジングと、前記相手方コネクタハウジングと嵌合するコネクタハウジングと、を接続するコネクタの接続構造であって、
前記コネクタハウジングに一体形成されて前記相手方コネクタハウジングの一対の連結用係止部に係合して、コネクタハウジング相互の嵌合状態をロックする一対のロックアームと、
前記ロックアームから延出し、ハウジング内方に押下すると前記ロックアームを係合解除方向に撓ませるアーム操作片と、
前記コネクタハウジングにおける待機位置からロック解除位置に移動可能に前記コネクタハウジングに形成された楔挿通孔に組み付けられて、前記ロック解除位置に押下されることで、前記ロックアームによるコネクタハウジング相互の嵌合状態のロックを解除する一対の楔片と、
前記一対の楔片の先端側内面に装備されて前記一対の楔片が前記待機位置から前記ロック解除位置に押し込まれたときに、前記アーム操作片をハウジング内方に押下することで、前記ロックアームによるロック状態を解除するロック解除用テーパ面と、
を備え、
前記一対の楔片は、前記ロック解除位置に押し込まれたときに前記アーム操作片を押圧する部位として、前記ロック解除用テーパ面の終端から当該楔片の押し込み方向に沿って平行に延出した平坦面を備えたことを特徴とするコネクタの接続構造。
【発明の詳細な説明】
【技術分野】
【０００１】
本発明は、一方のコネクタハウジングに装備されたロック解除部材の押し込み操作によって、一方のコネクタハウジングと他方のコネクタハウジングとのロック状態を解除可能なコネクタ及びコネクタの接続構造に関する。
【背景技術】
【０００２】
下記特許文献１には、一方のコネクタハウジングに装備された一対の楔片を有するロック解除部材の押し込み操作によって、一方のコネクタハウジングと他方のコネクタハウジングとのロック状態を解除可能なコネクタが開示されている。
【０００３】
特許文献１に開示のコネクタは、第１コネクタハウジング（相手方コネクタハウジング）と第２コネクタハウジング（コネクタハウジング）との嵌合が適正に完了すると、第２コネクタハウジングの両側部に装備されている一対のロックアームが、第１コネクタハウジングの両側部に装備されている一対の連結用係止部に係合することで、コネクタハウジング相互の嵌合状態がロックされる。
【０００４】
そして、特許文献１に開示のコネクタでは、第２コネクタハウジングには、ロックアームに一体に装備されてハウジング内方に押下すると前記ロックアームを係合解除方向に撓ませるアーム操作片と、ロック解除位置に押し込むことで前記アーム操作片をハウジング内方に押下してコネクタハウジング相互のロック状態を解除する一対の楔片とを備えている。
【０００５】
特許文献１に開示のコネクタでは、一対の楔片は、第２コネクタハウジングの楔挿通孔に挿入することで、第２コネクタハウジングに組み付けられ、アーム操作片の自由端の外側面に係合することで、待機位置に仮止めされる。また、一対の楔片は、待機位置からロック解除位置に押し込むことで、アーム操作片の自由端の外側面をハウジング内方に押下して、ロックアームをロック解除方向に移動させるロック解除用テーパ面を、有している。
【先行技術文献】
【特許文献】
【０００６】
【特許文献１】特開２０１４−５６６９９号公報
【発明の概要】
【発明が解決しようとする課題】
【０００７】
ところが、特許文献１のコネクタの場合、一対の楔片がロック解除位置に到達したときも、ロック解除用テーパ面がアーム操作片の自由端の外側面に当接している。換言すると、一対の楔片は、ロック解除位置に到達するまで、アーム操作部をハウジング内方に変位させる代わりに、アーム操作片からの反力を受ける。そのため、一対の楔片がロック解除位置に到達しても、ロック解除位置に向かって移動中の場合と同様の感触があり、ロック解除位置への到達を感触から検知することが難しい。そのため、一対の楔片がロック解除位置に到達しても、押下操作が続けられて、一対の楔片が過度に押下されるおそれがあった。そのため、一対の楔片の過度の押し込みによって、一対の楔片又はアーム操作片に破損を招くおそれがあった。
【０００８】
また、一対の楔片がロック解除位置に移動する際には、ロック解除用テーパ面に作用するアーム操作片からの反力でロック解除用テーパ面を有している楔片がハウジング外方に逃げることを防止するために、楔片の背面が第２コネクタハウジングの保護壁に当接する。しかし、特許文献１のコネクタの場合は、第２コネクタハウジングの保護壁に当接する楔片の背面の面積が大きいため、楔片と第２コネクタハウジングの保護壁との間に大きな摺動摩擦が発生し、一対の楔片をロック解除位置に移動させる際の操作力の増大を招くという問題もあった。
【０００９】
そこで、本発明の目的は、上記課題を解消することに係り、一対の楔片の過度の押し込みによる楔片又はアーム操作片の破損を防止することができるコネクタ及びコネクタの接続構造を提供することにある。
【課題を解決するための手段】
【００１０】
本発明の前述した目的は、下記の構成により達成される。
（１）  相手方コネクタハウジングに嵌合するコネクタハウジングと、
前記コネクタハウジングに一体形成されて前記相手方コネクタハウジングの一対の連結用係止部に係合して、コネクタハウジング相互の嵌合状態をロックする一対のロックアームと、
前記ロックアームから延出し、ハウジング内方に押下すると前記ロックアームを係合解除方向に撓ませるアーム操作片と、
前記コネクタハウジングにおける待機位置からロック解除位置に移動可能に前記コネクタハウジングに形成された楔挿通孔に組み付けられて、前記ロック解除位置に押下されることで、前記ロックアームによるコネクタハウジング相互の嵌合状態のロックを解除する一対の楔片と、
前記一対の楔片の先端側内面に装備されて前記一対の楔片が前記位置から前記ロック解除位置に押し込まれたときに、前記アーム操作片をハウジング内方に押下することで、前記ロックアームによるロック状態を解除するロック解除用テーパ面と、
を備えるコネクタであって、
前記一対の楔片は、前記ロック解除位置に押し込まれたときに前記アーム操作片を押圧する部位として、前記ロック解除用テーパ面の終端から当該楔片の押し込み方向に沿って平行に延出した平坦面を備えたことを特徴とするコネクタ。
【００１１】
（２）  前記楔片の先端外面からの前記平坦面の高さが、前記楔片の高さよりも低いことを特徴とする上記（１）に記載のコネクタ。
【００１２】
（３）  前記相手方コネクタハウジングには、前記アーム操作片から前記楔片に作用する反力によって前記楔片がハウジング外方に逃げることを規制する保護壁が備えられ、
前記楔片の外面には、前記保護壁と接触する面積を先端側外面のみに制限する逃げが形成されていることを特徴とする上記（１）又は（２）に記載のコネクタ。
【００１３】
（４）  相手方コネクタハウジングと、前記相手方コネクタハウジングと嵌合するコネクタハウジングと、を接続するコネクタの接続構造であって、
前記コネクタハウジングに一体形成されて前記相手方コネクタハウジングの一対の連結用係止部に係合して、コネクタハウジング相互の嵌合状態をロックする一対のロックアームと、
前記ロックアームから延出し、ハウジング内方に押下すると前記ロックアームを係合解除方向に撓ませるアーム操作片と、
前記コネクタハウジングにおける待機位置からロック解除位置に移動可能に前記コネクタハウジングに形成された楔挿通孔に組み付けられて、前記ロック解除位置に押下されることで、前記ロックアームによるコネクタハウジング相互の嵌合状態のロックを解除する一対の楔片と、
前記一対の楔片の先端側内面に装備されて前記一対の楔片が前記待機位置から前記ロック解除位置に押し込まれたときに、前記アーム操作片をハウジング内方に押下することで、前記ロックアームによるロック状態を解除するロック解除用テーパ面と、
を備え、
前記一対の楔片は、前記ロック解除位置に押し込まれたときに前記アーム操作片を押圧する部位として、前記ロック解除用テーパ面の終端から当該楔片の押し込み方向に沿って平行に延出した平坦面を備えたことを特徴とするコネクタの接続構造。
【００１４】
上記（１）、（４）の構成によれば、待機位置にある一対の楔片をロック解除位置に移動させるロック解除操作の途中では、アーム操作片と各楔片との接触部位が、各楔片上のロック解除用テーパ面となる。ロック解除用テーパ面が接触部位となっている状況では、楔片の押し込み量の増加に応じてアーム操作片からの反力が増加する。しかし、各楔片がロック解除位置に到達すると、アーム操作片と楔片との接触部位が、楔片のロック解除用テーパ面に連なる平坦面に移る。そして、アーム操作片と各楔片との接触部位が平坦面の場合は、各楔片の押し込みによって、端部が平坦面上を摺動しても、端部がハウジング内方に変位することが無いため、アーム操作片のたわみ量が変化しない。
【００１５】
従って、一対の楔片がロック解除位置に到達すると、各楔片に働く負荷が軽減され、触感の変化によって一対の楔片がロック解除位置に到達したことが確実に検知される。そのため、必要以上に楔片が押し込まれることを防止することができ、過度の押し込みによる一対の楔片やアーム操作片の破損を防止することができる。
【００１６】
上記（２）の構成によれば、平坦面の高さを調節することで、楔片全体の剛性を大幅に変更せずに楔片の撓み量を調節することができ、必要最低限の反力、撓み量でロックアームを撓ませることができる。
【００１７】
上記（３）の構成によれば、一対の楔片をロック解除位置に移動させる押し込み操作時に保護壁と接触する一対の楔片の外面には、逃げが形成されている。これにより、保護壁との接触部が先端側外面のみに制限され、楔片と保護壁との間の接触面積が小さくなる。従って、一対の楔片の摺動摩擦力を小さく押さえて、一対の楔片の押し込み操作時における操作力の低減を図ることができる。
【発明の効果】
【００１８】
本発明によるコネクタ及びコネクタの接続構造によれば、一対の楔片の過度の押し込みによる楔片又はアーム操作片の破損を防止することができる。
【００１９】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２０】
【図１】図１は、本発明に係るコネクタの一実施形態を構成する一対の楔片が仮止めされたコネクタハウジングと相手コネクタハウジングとの分解斜視図である。
【図２】図２は、本発明に係るコネクタの一実施形態の分解斜視図である。
【図３】図３は、本発明の一実施形態のコネクタハウジング相互の嵌合が完了し、且つ、一対の楔片が待機位置に仮止めされている状態におけるコネクタハウジングの後面図である。
【図４】図４は、図３のＡ部の拡大図である。
【図５】図５は、図３に示した状態の縦断面図である。
【図６】図６は、図３の状態から一対の楔片がロック解除位置側に押し込まれている途中の段階におけるコネクタハウジングの後面図である。
【図７】図７は、図６のＢ部の拡大図である。
【図８】図８は、図６の状態におけるロックアームの作動状況を示す縦断面図である。
【図９】図９は、本発明の一実施形態のコネクタにおいて、一対の楔片がロック解除位置まで押し込まれたときのアーム操作片と楔片との係合状態を示すコネクタハウジングの後面図である。
【図１０】図１０は、図９のＣ部の拡大図である。
【図１１】図１１は、図９の状態におけるロックアームの作動状況を示す縦断面図である。
【発明を実施するための形態】
【００２１】
以下、本発明に係るコネクタ及びコネクタの接続構造の好適な実施形態について、図面を参照して詳細に説明する。
【００２２】
図１〜図１１は本発明に係るコネクタの一実施形態を示したもので、図１は本発明に係るコネクタの一実施形態を構成する一対の楔片が仮止めされたコネクタハウジングと相手コネクタハウジングとの分解斜視図、図２は本発明に係るコネクタの一実施形態の分解斜視図、図３は本発明の一実施形態のコネクタハウジング相互の嵌合が完了し、且つ、一対の楔片が待機位置に仮止めされている状態におけるコネクタハウジングの後面図、図４は図３のＡ部の拡大図、図５は図３に示した状態の縦断面図、図６は図３の状態から一対の楔片がロック解除位置側に押し込まれている途中の段階におけるコネクタハウジングの後面図、図７は図６のＢ部の拡大図、図８は図６の状態におけるロックアームの作動状況を示す縦断面図、図９は本発明の一実施形態のコネクタにおいて、一対の楔片がロック解除位置まで押し込まれたときのアーム操作片と楔片との係合状態を示すコネクタハウジングの後面図、図１０は図９のＣ部の拡大図、図１１は図９の状態におけるロックアームの作動状況を示す縦断面図である。
【００２３】
この一実施形態のコネクタ３は、相手方コネクタハウジング４（オスコネクタハウジング）に嵌合するコネクタハウジング（メスコネクタハウジング）５と、相手方コネクタハウジング４の相反する方向を向く一対の外側面４１ａ，４１ａに突設された一対の連結用係止部４２，４２と、一対の連結用係止部４２，４２に対応してコネクタハウジング５の両側に一体形成された一対のロックアーム５２，５２と、ロックアーム５２から延出したアーム操作片５３と、コネクタハウジング５に形成された楔挿通孔５４に組み付けられる一対の楔片６１，６２と、一対の楔片６１，６２の先端側内面に装備されたロック解除用テーパ面６４と、を備えている。
【００２４】
相手方コネクタハウジング４は、図２に示すように、基板接続用の雄端子金具４０１を保持する端子保持部４１を備えており、この端子保持部４１の一対の外側面４１ａに、前述の連結用係止部４２が一体形成されている。
【００２５】
本実施形態の場合、連結用係止部４２は、外側面４１ａから突出した係止突起で、突起の後端の垂直面４２ａ（図５参照）が、後述するロックアーム５２の係止凹部５２２（図５参照）に係合することで、コネクタハウジング相互を嵌合状態にロックする。
【００２６】
コネクタハウジング５は、図２に示すように、雄端子金具４０１が嵌合接続する端子嵌合部５０１ａを有した雌端子金具５０１と、雌端子金具５０１を収容保持するインナーハウジング５１１と、このインナーハウジング５１１の先端部５１１ａの外周に嵌合装着される略筒状のパッキン５１２と、インナーハウジング５１１の先端部５１１ａに嵌合装着されるフロントホルダ５１３と、インナーハウジング５１１を収容保持すると共に、インナーハウジング５１１の外周に相手方コネクタハウジング４が嵌入する空隙を画成するアウターハウジング５１４と、アウターハウジング５１４内のインナーハウジング５１１を前方に付勢するハウジング付勢ばね５１５と、一対の楔片６１，６２が後述する待機位置に止まるように一対の楔片６１，６２を連結している連結部６３を付勢する楔付勢手段５１６と、を備えている。
【００２７】
インナーハウジング５１１は、相手方コネクタハウジング４とコネクタハウジング５とを嵌合させた際、相手方コネクタハウジング４の端子保持部４１内に嵌合して、内部に保持している雌端子金具５０１を、端子保持部４１内の雄端子金具４０１に嵌合させる。
【００２８】
インナーハウジング５１１の先端部５１１ａの外周に嵌合したパッキン５１２は、インナーハウジング５１１と相手方コネクタハウジング４との嵌合部の隙間を封止する。
【００２９】
フロントホルダ５１３は、インナーハウジング５１１の先端部５１１ａに嵌合して、インナーハウジング５１１内に収容された雌端子金具５０１の先端部を位置決めすると共に、パッキン５１２が先端部５１１ａから抜けることを防止する。
【００３０】
アウターハウジング５１４は、図１に示すように、インナーハウジング５１１に嵌合する相手方コネクタハウジング４の周囲を囲う外筒部５１４ａを有している。そして、相手方コネクタハウジング４の外側面４１ａと対向する外筒部５１４ａの両側部に、前述の一対のロックアーム５２が装備されている。
【００３１】
各ロックアーム５２は、図５に示すように、アウターハウジング５１４の基端寄りの位置から先端側に延出してアウターハウジング５１４の幅方向（図５では、矢印Ｚ２方向）に弾性変位可能な弾性片５２１と、この弾性片５２１の先端側に装備されて、相手方コネクタハウジング４とコネクタハウジング５との嵌合が完了したときに連結用係止部４２が係合する係止凹部５２２と、を備えている。
【００３２】
一対のロックアーム５２は、その係止凹部５２２に相手方コネクタハウジング４の連結用係止部４２が係合することで、相手方コネクタハウジング４の抜け方向の動きを規制して、コネクタハウジング相互の嵌合状態をロックする。
【００３３】
アーム操作片５３は、図８に示すように、ロックアーム５２の前端からアウターハウジング５１４の基端側に延出したアームで、アウターハウジング５１４の基端側に位置した端部５３ａは、自由端になっている。この端部５３ａが、図１１の矢印Ｚ３，Ｚ４に示すように、アウターハウジング５１４の幅方向内方に押下されると、図１１の矢印Ｚ５，Ｚ６に示すように、アーム操作片５３が連結されているロックアーム５２の先端側が、ハウジングの幅方向外方に撓み変位する。このロックアーム５２の先端のハウジングの幅方向外方への撓み変位は、ロックアーム５２と連結用係止部４２との係合を外して、ロック状態を解除する変位である。
【００３４】
即ち、アーム操作片５３は、その自由端をコネクタハウジング５のハウジング内方に押下すると、ロックアーム５２を係合解除方向に撓ませる。
【００３５】
楔挿通孔５４は、一対の楔片６１，６２と、これらの一対の楔片６１，６２の基端同士を結合した連結部６３とを収容する窪みである。この楔挿通孔５４において、アウターハウジング５１４の幅方向の両端に位置する部位が、一対の楔片６１，６２を挿通させる楔挿通部５４１，５４２である。
【００３６】
楔挿通部５４１，５４２は、コネクタハウジング相互の嵌合方向と直交するハウジング上下方向（図２では、矢印Ｙ２方向）に沿って延設されている。また、楔挿通部５４１，５４２は、前述したアーム操作片５３の端部５３ａが、これらの楔挿通部５４１，５４２内に突出する位置に装備されている。従って、図３及び図４に示したように、楔挿通部５４１，５４２に挿通された一対の楔片６１，６２の先方に、アーム操作片５３の端部５３ａが突出していて、一対の楔片６１，６２を後述するロック解除位置に押し込むときには、一対の楔片６１，６２の先端部がアーム操作片５３の端部５３ａに干渉する。
【００３７】
楔挿通部５４１，５４２は、図２に示すように、内側面の前端側の位置に、ハウジング上下方向に延在する溝部５４ｍが形成されている。この溝部５４ｍは、一対の楔片６１，６２の先端側の外面に突出形成された係止突起６５が通過可能な溝である。前記溝部５４ｍがハウジングの前端側に寄って形成されたことで、楔挿通部５４１，５４２を有する楔挿通孔５４の水平断面形状は、前後非対称の構造になっている。
【００３８】
一対の楔片６１，６２は、これらの一対の楔片６１，６２の基端同士が連結部６３によって結合されて、一体化している。従って、一対の楔片６１，６２は、単一部品として、楔挿通孔５４に組み付けられる。
【００３９】
一対の楔片６１，６２は、図３及び図４に示すように、その先端の内面に、基端側に向かって徐々に板厚が増加するロック解除用テーパ面６４が装備されている。また、図２に示すように、一対の楔片６１，６２の先端の外面には、片側（ハウジングの先端側）に偏って、係止突起６５が突出形成されている。
【００４０】
ロック解除用テーパ面６４は、図３に矢印Ｙ８で示すように一対の楔片６１，６２が後述する待機位置からロック解除位置に押し込まれるときに、図４に矢印Ｚ８に示すように、アーム操作片５３の端部５３ａをハウジング内方に押下する。これにより、一対のロックアーム５２，５２を一対の連結用係止部４２，４２との係合を解除する方向に撓み変形させて、ロックアーム５２によるロック状態を解除する。
【００４１】
係止突起６５は、一対の楔片６１，６２がアウターハウジング５１４の楔挿通孔５４に挿入されて、待機位置に到達した時に、図１に示すように、アウターハウジング５１４の外筒部５１４ａに形成された係止部５１４ｂに係合して、待機位置からの抜け出しを防止する。
【００４２】
係止部５１４ｂは、ロックアーム５２の撓み変形に関与しないアウターハウジング５１４上の部位である。そのため、コネクタハウジング相互の嵌合時に、ロックアーム５２が連結用係止部４２を乗り越えるために撓み変形する場合でも、係止突起６５と係止部５１４ｂとの間には、ロックアーム５２の撓み変形の影響を受けない一定の係代を確保することができる。
【００４３】
係止突起６５を係止部５１４ｂに当接（係合）させた一対の楔片６１，６２は、連結部６３に作用する楔付勢手段５１６の付勢力によって、係止突起６５が係止部５１４ｂに当接した状態を維持するように、付勢される。即ち、一対の楔片６１，６２は、楔付勢手段５１６の付勢力によって、待機位置に止まるように付勢される。
【００４４】
図１に示したコネクタハウジング５は、一対の楔片６１，６２が待機位置に仮固定された状態である。この状態では、連結部６３を押下することで、楔付勢手段５１６の付勢力に抗して、一対の楔片６１，６２を待機位置からロック解除位置に押し下げることが可能である。
【００４５】
即ち、本実施形態の一対の楔片６１，６２は、アウターハウジング５１４の楔挿通孔５４に組み付けられて、コネクタハウジング相互の嵌合方向と直交するハウジング上下方向に離間した待機位置からロック解除位置に移動可能にアウターハウジング５１４内に保持される。そして、一対の楔片６１，６２は、ロック解除位置に押下されることで、ロックアーム５２によるコネクタハウジング相互の嵌合状態のロックを解除する。
【００４６】
本実施形態の場合、各楔片６１，６２の先端外面に突出形成された係止突起６５が設けられることにより、一対の楔片６１，６２の先端側の断面形状が、前後非対称の形状になっている。
【００４７】
即ち、本実施形態のコネクタ３では、一対の楔片６１，６２の断面形状、及び楔挿通孔５４の断面形状が、前後非対称の構造に設定されている。これにより、一対の楔片６１，６２が前後逆転した状態では、楔挿通孔５４に組み込むことができず、一対の楔片６１，６２の誤組付けを防止することができる。
【００４８】
また、本実施形態の場合、一対の楔片６１，６２は、図４及び図７に示すように、ロック解除位置に押し込まれたときにアーム操作片５３を押圧する部位として、ロック解除用テーパ面６４の終端から当該楔片６１，６２の押し込み方向に沿って平行に延出した平坦面６７を備えている。平坦面６７は、図４に示すように、押し込み方向に沿う長さＬ１の平坦面である。
【００４９】
更に、本実施形態の場合、コネクタハウジング５には、図４及び図７に示すように、アーム操作片５３から一対の楔片６１，６２に作用する反力によって一対の楔片６１，６２がハウジング外方に逃げることを規制する保護壁５１４３が備えられている。これにより、ロック解除用テーパ面６４がアーム操作片５３の端部５３ａに当接したときには、確実に、アーム操作片５３をハウジング内方に変位させることができる。
【００５０】
更に、一対の楔片６１，６２の外面には、図４及び図７に示すように、保護壁５１４３と接触する面積を先端側外面Ａｒのみに制限する逃げＳｒが形成されている。
【００５１】
図４中の寸法Ｌ２は、逃げＳｒによって楔片６１と保護壁５１４３との間に確保された隙間を示す。また、寸法Ｌ３は、先端側外面Ａｒから平坦面６７までの高さ寸法を示している。
【００５２】
以上に説明した一実施形態のコネクタ３の構成によれば、待機位置にある一対の楔片６１，６２をロック解除位置に移動させるロック解除操作の途中では、図６及び図７に示すように、アーム操作片５３と各楔片６１，６２との間の接触部位が、各楔片６１，６２のロック解除用テーパ面６４となる。ロック解除用テーパ面６４が接触部位となっている状況では、アーム操作片５３から各楔片６１，６２に作用する反力が、各楔片６１，６２の押し込み量の増加に応じて増加する。
【００５３】
しかし、各楔片６１，６２がロック解除位置に到達すると、図９及び図１０に示すように、アーム操作片５３と各楔片６１，６２との接触部位が、各楔片６１，６２のロック解除用テーパ面６４に連なる平坦面６７に移る。そして、アーム操作片５３と各楔片６１，６２との接触部位が平坦面６７の場合は、各楔片６１，６２の押し込みによって、端部５３ａが平坦面６７上を摺動しても、端部５３ａがハウジング内方に変位することが無いため、アーム操作片５３のたわみ量が変化しない。
【００５４】
従って、一対の楔片６１，６２がロック解除位置に到達すると、各楔片６１，６２に働く負荷が軽減され、触感の変化によって各楔片６１，６２がロック解除位置に到達したことが確実に検知される。そのため、必要以上に楔片が押し込まれることを防止することができ、過度の押し込みによる一対の楔片１，６２やアーム操作片５３の破損を防止することができる。
【００５５】
また、一実施形態のコネクタ３の構成によれば、平坦面６７の高さを調節することで、楔片６１，６２全体の剛性を大幅に変更せずに楔片６１，６２の撓み量を調節することができ、必要最低限の反力、撓み量でロックアーム５２を撓ませることができる。
【００５６】
また、一実施形態のコネクタ３の構成によれば、一対の楔片６１，６２をロック解除位置に移動させる押し込み操作時に保護壁５１４３と接触する一対の楔片６１，６２の外面には、逃げＳｒが形成されている。これにより、保護壁５１４３との接触部が先端側外面Ａｒのみに制限され、楔片６１，６２と保護壁５１４３との間の接触面積が小さくなる。従って、一対の楔片６１，６２の摺動摩擦力を小さく押さえて、一対の楔片の押し込み操作時における操作力の低減を図ることができる。
【００５７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５８】
例えば、平坦面６７の高さは楔片６１，６２の高さと同じであってもよく、平坦面６７は段差状に設けられていなくてもよい。
【００５９】
ここで、上述した本発明に係るコネクタ及びコネクタの接続構造の実施形態の特徴をそれぞれ以下［１］〜［４］に簡潔に纏めて列記する。
【００６０】
［１］  相手方コネクタハウジング（４）に嵌合するコネクタハウジング（５）と、
前記コネクタハウジング（５）に一体形成されて前記相手方コネクタハウジング（４）の一対の連結用係止部（４２，４２）に係合して、コネクタハウジング相互の嵌合状態をロックする一対のロックアーム（５２）と、
前記ロックアーム（５２）から延出し、ハウジング内方に押下すると前記ロックアーム（５２）を係合解除方向に撓ませるアーム操作片（５３）と、
前記コネクタハウジング（５）における待機位置からロック解除位置に移動可能に前記コネクタハウジング（５）に形成された楔挿通孔（５４）に組み付けられて、前記ロック解除位置に押下されることで、前記ロックアーム（５２）によるコネクタハウジング相互の嵌合状態のロックを解除する一対の楔片（６１，６２）と、
前記一対の楔片（６１，６２）の先端側内面に装備されて前記一対の楔片（６１，６２）が前記待機位置から前記ロック解除位置に押し込まれたときに、前記アーム操作片（５３）をハウジング内方に押下することで、前記ロックアーム（５２）によるロック状態を解除するロック解除用テーパ面（６４）と、
を備えるコネクタ（３）であって、
前記一対の楔片（６１，６２）は、前記ロック解除位置に押し込まれたときに前記アーム操作片（５３）を押圧する部位として、前記ロック解除用テーパ面（６４）の終端から当該楔片の押し込み方向に沿って平行に延出した平坦面（６７）を備えたことを特徴とするコネクタ（３）。
【００６１】
［２］  前記楔片（６１，６２）の先端外面からの前記平坦面（６７）の高さが、前記楔片（６１，６２）の高さよりも低いことを特徴とする上記［１］に記載のコネクタ（３）。
【００６２】
［３］  前記コネクタハウジング（５）には、前記アーム操作片（５３）から前記楔片（６１，６２）に作用する反力によって前記楔片がハウジング外方に逃げることを規制する保護壁（５１４３）が備えられ、
前記楔片（６１，６２）の外面には、前記保護壁（５１４３）と接触する面積を先端側外面（Ａｒ）のみに制限する逃げ（Ｓｒ）が形成されていることを特徴とする上記［１］又は［２］に記載のコネクタ（３）。
【００６３】
［４］  相手方コネクタハウジング（４）と、前記相手方コネクタハウジング（４）と嵌合するコネクタハウジング（５）と、を接続するコネクタの接続構造であって、
前記コネクタハウジング（５）に一体形成されて前記相手方コネクタハウジング（４）の一対の連結用係止部（４２，４２）に係合して、コネクタハウジング相互の嵌合状態をロックする一対のロックアーム（５２）と、
前記ロックアーム（５２）から延出し、ハウジング内方に押下すると前記ロックアーム（５２）を係合解除方向に撓ませるアーム操作片（５３）と、
前記コネクタハウジング（５）における待機位置からロック解除位置に移動可能に前記コネクタハウジング（５）に形成された楔挿通孔（５４）に組み付けられて、前記ロック解除位置に押下されることで、前記ロックアーム（５２）によるコネクタハウジング相互の嵌合状態のロックを解除する一対の楔片（６１，６２）と、
前記一対の楔片（６１，６２）の先端側内面に装備されて前記一対の楔片（６１，６２）が前記待機位置から前記ロック解除位置に押し込まれたときに、前記アーム操作片（５３）をハウジング内方に押下することで、前記ロックアーム（５２）によるロック状態を解除するロック解除用テーパ面（６４）と、
を備え、
前記一対の楔片（６１，６２）は、前記ロック解除位置に押し込まれたときに前記アーム操作片（５３）を押圧する部位として、前記ロック解除用テーパ面（６４）の終端から当該楔片の押し込み方向に沿って平行に延出した平坦面（６７）を備えたことを特徴とするコネクタの接続構造。
【符号の説明】
【００６４】
３  コネクタ
４  相手方コネクタハウジング（オスコネクタハウジング）
５  コネクタハウジング（メスコネクタハウジング）
４１ａ  外側面
４２  連結用係止部
５２  ロックアーム
５３  アーム操作片
５４  楔挿通孔
６１，６２  楔片
６４  ロック解除用テーパ面
６７  平坦面
５１４３  保護壁
Ｓｒ  逃げ
【図１】
2016103340.tif 000003
【図２】
2016103340.tif 000004
【図３】
2016103340.tif 000005
【図４】
2016103340.tif 000006
【図５】
2016103340.tif 000007
【図６】
2016103340.tif 000008
【図７】
2016103340.tif 000009
【図８】
2016103340.tif 000010
【図９】
2016103340.tif 000011
【図１０】
2016103340.tif 000012
【図１１】
2016103340.tif 000013